(57)【要約】      （修正有）【課題】寸法サイズに応じて重さが違っても、同じ形状の箱形製品であれば、重さの違いに合わせていちいち緩衝体を取り替えて使用する必要のない廉価な輸送容器を提供する。【解決手段】輸送容器Ｐは、寸法サイズに応じて重量が異なる箱形製品のＰＣサーバＲを緩衝するために必要な緩衝体Ｂの厚さｔを算定した上で、上下の緩衝体間にＰＣサーバを挟んで梱包するとき、ＰＣサーバを緩衝するために必要な緩衝体Ｂの予め算定した厚さｔの位置に、ＰＣサーバの上下両面ｘの外縁ａが圧接するように製品圧接面の斜面ｒに勾配を付けて形成する。従って、寸法サイズの小さいＰＣサーバは、軽量な分だけ緩衝体に厚みを必要としないので、漏斗状斜面の中心部寄りの薄い部位に圧接し、寸法サイズの大きいＰＣサーバは、重い分だけ緩衝体に厚みを必要とするので、漏斗状斜面の外縁部２５ａ寄りの肉厚な部位に圧接して緩衝体の間に挟持する。【選択図】図１
2014148311.tif 000002
【特許請求の範囲】
【請求項１】
外装箱と、外装箱内に互いの製品圧接面を上下に対向させて嵌め込む一対の緩衝体とを備え、それら上下の緩衝体間に輸送対象の箱形製品を挟持して外装箱内に梱包する輸送容器において、
緩衝体は、
箱形製品が圧接すると寸法サイズ別に異なる重量に応じて凹状に弾性変形して緩衝効果を発揮する一定緩衝係数のクッション材からなり、
製品圧接面を、その外縁部から中心部に向かうに従い厚さが次第に薄くなる向きに傾斜する斜面により形成し、
その斜面には、箱形製品を挟持して梱包するとき、寸法サイズに応じて重量の異なる箱形製品を緩衝するために必要な緩衝体の予め算定した厚さの位置に、それぞれ箱形製品の上下両面の外縁が圧接する勾配を付けてなることを特徴とする、輸送容器。
【請求項２】
前記緩衝材は、前記製品圧接面を、該製品圧接面が圧接する前記箱形製品の上下両面の形状に対応した数の斜面により形成してなることを特徴とする、請求項１に記載の輸送容器。
【請求項３】
前記緩衝体には、前記製品圧接面に前記箱形製品を載置するときに手を挟まないように逃げ凹溝を設けてなることを特徴とする、請求項１又は２に記載の輸送容器。
【発明の詳細な説明】
【技術分野】
【０００１】
本発明は、ＰＣサーバやパソコン等の箱形製品を、クッション材からなる緩衝体の間に挟んで外装箱内に梱包し、修理や引越しや納品などのために輸送する場合に使用する輸送容器に関する。
【背景技術】
【０００２】
従来、たとえば修理のためパソコンやＰＣサーバ等の箱形製品を、そのショップとメーカの修理工場の間で往復輸送する場合は、輸送中の振動や衝撃から保護するため、箱形製品をクッション材からなる緩衝体の間に挟んで段ボール箱等の外装箱内に積め込み、その外装箱をシール用テープ等で封印して梱包している。また、従来の輸送容器の中には、外装箱と、使用時に折り曲げて組み立てる一対の段ボール製内箱（緩衝体）とを備え、これら内箱を対向させて外装箱内に配設し、互いの内箱に張設した合成樹脂フィルムの間で製品を挟んで外装箱内に梱包する構造にしたものがある（特許文献１参照）。
【先行技術文献】
【特許文献】
【０００３】
【特許文献１】特開２０００−２６４３６８号
【発明の概要】
【発明が解決しようとする課題】
【０００４】
ところが、従来の輸送容器は、ＰＣサーバ等の箱形製品といっても、メーカの仕様により異なる寸法サイズに応じて重さに違いを生ずるため、その重さの違いに応じて必要な緩衝効果を発揮するように厚さが違う多種類の緩衝体が必要になるので、それだけコストが高くなるという課題があった。また、箱形製品がＰＣサーバのように金属製の重量物であると、その重さにより合成樹脂フィルムが大きく撓んで箱形製品が沈み込み、十分に緩衝効果を発揮できないため、輸送時に振動や衝撃を受けると、内箱が合成樹脂フィルムにより強く引っ張られて折れたりして壊れ易く、その結果、箱形製品が毀損するおそれがあるという課題もあった。
【０００５】
そこで、本発明の目的は、寸法サイズに応じて重さが違っても、輸送対象が同じ形状の箱形製品であれば、重さの違いに合わせていちいち緩衝体を取り替えて使用する必要のない廉価な輸送容器を提供することにある。
【課題を解決するための手段】
【０００６】
そこで、上述した課題を解決すべく、請求項１に記載の発明は、たとえば以下に示す図示実施の形態のとおり、外装箱Ａと、外装箱Ａ内に互いの製品圧接面２５を上下に対向させて嵌め込む一対の緩衝体Ｂとを備え、それら上下の緩衝体Ｂで製品圧接面２５間に輸送対象のＰＣサーバＲ・Ｒ´のような箱形製品を挟持して外装箱Ａ内に梱包する輸送容器Ｐにおいて、緩衝体Ｂは、箱形製品が圧接すると寸法サイズ別に異なる重量に応じて凹状に弾性変形して緩衝効果を発揮する一定緩衝係数のクッション材からなり、製品圧接面２５を、その外縁部２５ａから中心部２５ｂに向かうに従い厚さが次第に薄くなる向きに傾斜する斜面ｒにより形成し、その斜面ｒには、箱形製品を挟持して梱包するとき、寸法サイズに応じて重量の異なる箱形製品を緩衝するために必要な緩衝体Ｂの予め算定した厚さｔ・ｔ´の位置に、それぞれ箱形製品の上下両面ｘ・ｘ´の外縁ａ・ａ´が圧接する勾配を付けてなることを特徴とする
【０００７】
請求項２に記載の発明は、請求項１に記載の輸送容器Ｐにおいて、たとえば以下に示す図示実施の形態のとおり、前記緩衝材Ｂは、前記製品圧接面２５を、該製品圧接面２５が圧接する前記箱形製品の上下両面ｘの形状に対応した数の斜面ｒにより形成してなることを特徴とする。
【０００８】
請求項３に記載の発明は、請求項１又は２に記載の輸送容器Ｐにおいて、たとえば以下に示す図示実施の形態のとおり、前記緩衝体Ｂには、前記製品圧接面２５に前記箱形製品を載置するときに手を挟まないように逃げ凹溝２９を設けてなることを特徴とする。
【発明の効果】
【０００９】
請求項１に記載の発明によれば、寸法サイズに応じて重量が異なるＰＣサーバのような箱形製品を緩衝するために緩衝体に必要な厚さを算定した上で、製品圧接面間に箱形製品を挟持して梱包するとき、予め算定した箱形製品を緩衝する緩衝体の厚さの位置に、箱形製品の上下両面の外縁が圧接するように製品圧接面の斜面に勾配を付けるから、寸法サイズの小さい箱形製品は、軽量な分だけ緩衝体に厚みを必要としないので、斜面の中心部寄りの薄い部位に上下両面の外縁が圧接し、寸法サイズの大きい箱形製品は、重い分だけ緩衝体に厚みを必要とするので、斜面の外縁部寄りの肉厚な部位に上下両面の外縁が圧接した状態で挟持され、これにより、寸法サイズに応じて重さの異なる箱形製品を緩衝するために必要な厚さの緩衝体にいちいち取り替える必要がなく、１種類の緩衝体Ｂによって寸法サイズに応じて重さの異なる箱形製品に対してそれぞれの重さに適応した緩衝効果を発揮して振動や衝撃から的確に且つ廉価に保護することができる。
【００１０】
請求項２に記載の発明によれば、梱包時に緩衝体の製品圧接面が圧接する箱形製品の上下両面の形状に対応した数の斜面により形成すればよいので、箱形製品の上下両面が多角形の場合は、その製品圧接面の角数に合わせた数の斜面により形成し、箱形製品の上下両面が円形の円筒形の場合は、その製品圧接面に合わせて１つの丸い漏斗状の斜面により形成することもできる。
【００１１】
請求項３に記載の発明によれば、製品圧接面の上に箱形製品を載せるとき、手を挟まないように逃げ凹溝に逃がして保護することができる。
【図面の簡単な説明】
【００１２】
【図１】本発明の一例である輸送容器を示す分解斜視図である。
【図２】緩衝体を示す斜視図である。
【図３】緩衝体を示す平面図である。
【図４】緩衝体を示す側面図である。
【図５】底箱内に緩衝体を嵌め込んでセットした状態を示す斜視図である。
【図６】底箱内にセットした緩衝体上にＰＣサーバを載置する段階を示す斜視図である。
【図７】底箱に外装箱を被せる段階を示す斜視図である。
【図８】ＰＣサーバの上に緩衝体を載置した状態を示す斜視図である。
【図９】上下の緩衝体間にＰＣサーバを挟んで保持した状態を示す側面図である。
【図１０】フラップを倒して緩衝体の上に被せた状態を示す斜視図である。
【図１１】外装箱にスリングを巻いて留めた状態を示す斜視図である。
【図１２】蓋体を倒して面ファスナで箱本体に固定して梱包を終えた状態を示す斜視図である。
【図１３】他例の輸送容器において、底箱内の緩衝体上にＰＣサーバを横向きに寝かせた状態を示す斜視図である。
【図１４】他例の輸送容器において、大きさの異なる外装箱を使用して箱形製品を梱包した状態を示す斜視図である。
【図１５】緩衝体の変形例を示す斜視図である。
【図１６】緩衝体の変形例を示す平面図である。
【図１７】底箱内にセットした変形例の緩衝体上にＰＣサーバを載置した状態を示す斜視図である。
【発明を実施するための形態】
【００１３】
以下、図面を参照しつつ、本発明を実施するための形態について説明する。
【００１４】
図１に本発明の一例である輸送容器の構成部品を分解して示す。図示輸送容器Ｐは、外形が同じ箱形の箱形製品であるＰＣサーバＲを梱包して輸送する手段で、外装箱Ａと、外装箱Ａ内に嵌め込む上下一対の緩衝体Ｂとで構成する。輸送対象のＰＣサーバＲは、上下両面ｘが長方形からなる同じ直方体の箱形をなすが、メーカ仕様により幅・高さ・奥行の各寸法サイズ（大きさ）が異なり、そのサイズに応じて重量を異にする多種類の箱形製品である。
【００１５】
外装箱Ａは、いずれも繰返し使用可能なプラスチック製段ボール（紙製段ボールや適宜の厚紙など他の板紙製等であってもよい）を用いて組み立てた箱本体１０と、底箱１１とからなる。箱本体１０は、互いに対向して起立した長さの異なる二対の側板部１０ａ・１０ｂからなる矩形角筒状の胴体１２と、側板部１０ａと側板部１０ｂの片側の上縁に連設した３片のフラップ１３と、側板部１０ｂの他側の上縁に連設した１片の蓋板１４とで全体を上下開放型の直方体状に組み立て、蓋板１４を交互に回動して製品出し入れ側の開口Ｓを開閉する構造になっている。
【００１６】
胴体１２には、各側板部１０ａ・１０ｂの上縁寄りに手掛け用穴１５が設けられている。他側の側板部１０ｂと蓋板１４間の折れ線部分１６には、左右に間隔をあけて一対のバックル通し穴１７が設けられている。蓋板１４は、その長手の側縁に沿って曲げ癖を付けて固定片１４ａが設けられている。固定片１４ａと片側の側板部１０ｂの上縁には、互いに面ファスナ１８を貼着している。面ファスナ１８としては、共に無数の微小な、鉤状フックを有するオス側テープと、ループを有するメス側テープとを剥離自在に貼り合わせて使用するマジックテープ（登録商標）を用いる。
【００１７】
底箱１１は、箱本体１０と同様のプラスチック製段ボール用いて、箱本体１０を嵌め込み可能に、開口Ｓに合わせて上方を開放した底浅な直方体状に組み立ててなる。底箱１１の底板部１９には、バックル通し穴１７と対応する位置に一対のスリング通し穴２０を、それぞれ短手方向に間隔をあけて設け、そのスリング通し穴２０にスリング２１を通して装着している。
【００１８】
緩衝体Ｂは、箱形製品のＰＣサーバＲが圧接すると寸法サイズ別に異なる重量に応じて凹状に弾性変形して緩衝効果を発揮する一定緩衝係数Ｃ（例えばＣ＝３．０）のポリエチレン製クッション材からなる。そこで、緩衝体Ｂは、図２および図３でも示すように、このポリエチレン製クッション材により底箱１１内に嵌め込み可能な大きさの矩形マットレス状に全体を成形する。特に、表側の製品圧接面２５は、それぞれ外縁部２５ａから中心部２５ｂに向かうに従い厚さが次第に薄くなる向きに傾斜する、例えば４つの斜面ｒにより漏斗状に形成している。
【００１９】
そもそも緩衝体Ｂは、その厚さがＰＣサーバＲの重量に対して薄すぎると、ＰＣサーバＲが圧接したときクッション材が殆ど潰れて緩衝効果を発揮せず、逆に厚すぎると殆ど潰れなくて同様に緩衝効果を発揮しない。従って、緩衝体Ｂには、ＰＣサーバＲの重量に応じて十分に緩衝効果を発揮するためには、それだけの厚さが必要になる。一方、輸送対象のＰＣサーバＲは、メーカの仕様等により定まる寸法サイズに応じて重量を異にする。そこで、本発明では、同じ直方体のＰＣサーバＲにおいて、寸法サイズ別に重量の異なるＰＣサーバＲを緩衝するために必要な厚さを、それぞれ予め算定する。
【００２０】
例えば緩衝体Ｂ間にＰＣサーバＲを挟んで梱包した輸送容器Ｐを持ち運ぶときに、誤って輸送容器Ｐを落としたとき、ＰＣサーバＲが受ける衝撃を緩衝するために必要な緩衝体の厚さｔを、下記のような条件の下で、数式１を用いて算定する。
（１）ＰＣサーバに関わる条件
重量：３０kg    許容加速度：１０Ｇ    想定  落下高さ：４５ｃｍ
（２）緩衝体の厚さｔの計算
［数式１］
ｔ＝Ｃ×ｈ／Ｇ
Ｃ：緩衝体の緩衝係数  ｈ：想定落下高さ  Ｇ：ＰＣサーバの許容加速度
材料がポリエチレンの緩衝体Ｂの緩衝係数は、前記の通りＣ＝３．０であるから、これを数式１に代入して計算すると、所定寸法サイズに対応する重量３０kgのＰＣサーバＲを十分に緩衝するために、緩衝体Ｂの厚さはｔ＝１３．５ｃｍ必要になる。
【００２１】
そこで、本発明は、緩衝体Ｂ間にＰＣサーバＲを挟んで梱包するとき、寸法サイズに応じて重量の異なるＰＣサーバＲをそれぞれ緩衝するために必要な予め算定した緩衝体Ｂの厚さｔの位置に、各ＰＣサーバＲが圧接するように製品圧接面２５を構成する。そのため、緩衝体Ｂは、製品圧接面２５を形成する４つの斜面ｒには、図４に示すように、寸法サイズ別に重量が異なるＰＣサーバＲを緩衝するために必要な緩衝体Ｂの、予め算定した厚さｔの位置で、ＰＣサーバＲの矩形な上下両面ｘの４辺の外縁ａが圧接する傾斜角度の勾配を付けて形成する。
【００２２】
尚、緩衝体Ｂには、表側の製品圧接面２５にＰＣサーバＲを載置するときに手を挟まないように逃げ凹溝２９が横断して設けられている。
【００２３】
さて、上述した構成の図示輸送容器Ｐを用いて、例えばＰＣサーバＲを修理するために、ショップからメーカの修理工場へ輸送する場合は、ショップにて、図５に示すように、外装箱Ａの底箱１１内に製品圧接面２５を上にして緩衝体Ｂを嵌め込んでセットしてから、図６に示すように、製品圧接面２５の上にＰＣサーバＲを載せる。そのとき、手を挟まないように逃げ凹溝２９に逃がして保護することができる。
【００２４】
次いで、図７に示すように、底箱１１に箱本体１０の胴体１２を被せてから、図８に示すように、製品圧接面２５を下向きに緩衝体ＢをＰＣサーバＲの上に載置する。すると、上下の緩衝体Ｂは、図９に示すように、重さ３０kgの中型ＰＣサーバＲに対し緩衝効果を発揮するために必要な予め算定した厚さｔの位置で、ＰＣサーバＲの上下両面ｘの外縁ａが製品圧接面２５の斜面ｒに圧接した状態で、ＰＣサーバＲを間に挟んで保持する。
【００２５】
それから、図１０に示すように、フラップ１３を被せてから、図１に示す外装箱Ａに有するバックル通し穴１７にスリング２１の片方のバックル２２を挿通し、底箱１１に装着したスリング２１の他方のバックル２３を外装箱Ａの外側から掛け回し、図１１に示すようにフラップ１３上でバックル２２・２３を留める。しかる後、図１２に示すように蓋板１４を倒し、面ファスナ１８を貼り合せて固定片１４ａを箱本体１０に固定することによりＰＣサーバＲの梱包を終える。こうして蓋板１４でバックル２２・２３を覆うことにより、バックルが破損したり外れたりしないように保護することができる。
【００２６】
図示例の輸送容器Ｐは、フラップ１３をバックル２２・２３で留めてロックすると、外装箱Ａ内で上下の緩衝体Ｂ間にＰＣサーバＲを挟んで梱包する。こうして梱包を終えて後に、輸送容器Ｐはメーカの修理工場へと輸送する。輸送時、輸送容器Ｐを持ち運ぶとき、ＰＣサーバＲを、上下の緩衝体Ｂ間に挟んで動きを拘束し、振動や衝撃でずれ動かないように保持する。それと同時に、図示輸送容器Ｐは、上下の緩衝体Ｂが重さ３０kgの中型ＰＣサーバＲに対して緩衝するために必要な予め算定した厚さｔの位置で、ＰＣサーバＲのそれぞれ長方形をなす上下両面ｘの外縁ａが製品圧接面２５の斜面ｒに圧接した状態で、ＰＣサーバＲを挟持するから、緩衝体Ｂは、寸法サイズが中型のＰＣサーバＲの重さに適応した緩衝効果を発揮して振動や衝撃からＰＣサーバＲを的確に保護する。
【００２７】
従って、図示例の輸送容器Ｐでは、外形が同じ直方体状のＰＣサーバであれば、大中小といった寸法サイズに応じて重量に軽重の差がある各種ＰＣサーバＲを梱包して輸送する場合でも、図９に示すように、上下の緩衝体Ｂが寸法サイズに応じて重量に軽重の差があるＰＣサーバＲ・Ｒ´に対して緩衝するために必要な予め算定した厚さｔ・ｔ´の位置で、それぞれＰＣサーバＲ・Ｒ´の長方形をなす上下両面ｘ・ｘ´の外縁ａ・ａ´が同じ製品圧接面２５の斜面ｒに圧接した状態で、ＰＣサーバＲ・Ｒ´を挟持するから、寸法サイズに応じて重量の異なるＰＣサーバＲ・Ｒ´を緩衝するために必要な厚さの緩衝体にいちいち取り替える必要がなく、１種類の緩衝体Ｂによってサイズに応じ重量に軽重の差があるＰＣサーバＲに対してそれぞれの重さに適応した緩衝効果を発揮して振動や衝撃から的確且つ廉価に保護することができる。
【００２８】
つまり、図示例の輸送容器Ｐは、寸法サイズに応じて重さの異なるＰＣサーバＲ・Ｒ´を緩衝するために緩衝体Ｂに必要な厚さｔ・ｔ´を算定した上で、製品圧接面２５間にＰＣサーバＲを挟持して梱包するとき、予め算定したＰＣサーバＲ・Ｒ´を緩衝するために必要な緩衝体Ｂの厚さｔ・ｔ´の位置に、それぞれＰＣサーバＲ・Ｒ´の長方形をなす上下両面ｘ・ｘ´の外縁ａ・ａ´が圧接する傾きの勾配を、製品圧接面２５の斜面ｒに付けて形成するから、寸法サイズの小さいＰＣサーバＲ´は、軽量な分だけ緩衝体Ｂに厚みを必要としないので、漏斗状斜面ｒの中心部２５ｂ寄りの薄い部位に圧接し、寸法サイズの大きいＰＣサーバＲは、重い分だけ緩衝体Ｂに厚みを必要とするので、漏斗状斜面ｒの外縁部２５ａ寄りの肉厚な部位に圧接してＰＣサーバＲを挟持し、これにより、寸法サイズに応じて重量の異なるＰＣサーバＲ・Ｒ´を緩衝するために必要な厚さの緩衝体にいちいち取り替える必要がなく、１種類の緩衝体によって寸法サイズに応じて重量の異なるＰＣサーバＲ・Ｒ´に対してそれぞれの重さに適応した緩衝効果を発揮して振動や衝撃から的確且つ廉価に保護することができる。
【００２９】
ところで、上述した図示例の輸送容器Ｐにおいて、緩衝体Ｂの製品圧接面２５は、箱形製品であるＰＣサーバＲ・Ｒ´の長方形をなす上下両面ｘ・ｘ´の形状に合わせて矩形な４つの斜面ｒにより形成した。しかし、本発明では、梱包時に緩衝体Ｂの製品圧接面２５が圧接する箱形製品の上下両面ｘ・ｘ´の形状に対応した数の斜面ｒにより形成すればよいので、箱形製品の上下両面が多角形の場合は、その製品圧接面の角数に合わせた数の斜面により形成し、箱形製品の上下両面が円形の円筒形の場合は、その製品圧接面に合わせて１つの丸い漏斗状の斜面により形成することもできる。
【００３０】
また、以上の図示輸送容器Ｐでは、箱形製品のＰＣサーバＲを縦向き起こした状態で外装箱Ａ内に梱包したが、本発明は、図１３に示すように、箱形製品Ｒが薄型であったり横向きに寝かせて収納したり、箱形製品Ｒの大きさや収納形態によっては、例えば図１４に示すように、大きさの異なる外装箱Ａを使用して箱形製品を梱包してもよい。
【００３１】
更に、上述した図示緩衝体Ｂの製品圧接面２５は、図４に示したように、寸法サイズ別に重量が異なるＰＣサーバＲを緩衝するために必要な厚さｔの位置にＰＣサーバＲの上下両面ｘの外縁ａが圧接する傾斜角度の斜面ｒにより漏斗状に形成した。そこで、本発明による輸送容器Ｐの緩衝体Ｂは、寸法サイズの違いは僅かでも重さが大きく異なるＰＣサーバ（箱形製品）Ｒを輸送対象とする場合には、製品圧接面２５を、例えば図１５、図１６および図１７に示すごとく、その種のＰＣサーバＲを緩衝するために必要な予め算定した厚さｔの位置に、ＰＣサーバＲの上下両面ｘの外縁ａが圧接するように斜面ｒの傾斜の度合いを大きくし、つまり、斜面ｒの勾配を大きくすることにより緩衝性能を有効に発揮する構成にすることもできる。
【００３２】
従って、図示他例の緩衝体Ｂは、製品圧接面２５の斜面ｒ間にフラットな平面部位２５ｃが広く形成され、その平面部位２５ｃの表面に多数の凹凸を形成してなる。尚、図示他例では、そのように斜面ｒを有する凸状部分の間に平面部位２５ｃを設けて製品圧接面２５を形成することにより、クッション材からなる緩衝体Ｂの加工を容易にすることができる。
【符号の説明】
【００３３】
Ａ              外装箱
Ｂ              緩衝体
Ｐ              輸送容器
Ｒ              ＰＣサーバ（箱形製品）
ａ・ａ´        上下両面の外縁
ｒ              斜面
ｘ・ｘ´        上下両面
２５            製品圧接面
２５ａ          外縁部
２５ｂ          中心部
２９            逃げ凹溝
【図１】
2014148311.tif 000003
【図２】
2014148311.tif 000004
【図３】
2014148311.tif 000005
【図４】
2014148311.tif 000006
【図５】
2014148311.tif 000007
【図６】
2014148311.tif 000008
【図７】
2014148311.tif 000009
【図８】
2014148311.tif 000010
【図９】
2014148311.tif 000011
【図１０】
2014148311.tif 000012
【図１１】
2014148311.tif 000013
【図１２】
2014148311.tif 000014
【図１３】
2014148311.tif 000015
【図１４】
2014148311.tif 000016
【図１５】
2014148311.tif 000017
【図１６】
2014148311.tif 000018
【図１７】
2014148311.tif 000019